(57)【要約】【課題】本発明は給液ノズルの液面検知機構による感度のばらつきを検出することを課題とする。【解決手段】計量機１２の制御回路１６は、給液開始から給液が終了してノズルスイッチ３４がオフになるまでの間に給液ノズル３９の液面検知機構による追加給液回数を計数し、計数された追加給液回数を上記メモリ４４に記憶させる。そして、制御回路１６は、給液ノズル３０による給液が終了すると、管理端末装置１４に追加給液回数の計数結果を管理端末装置１４に送信する。これにより、管理端末装置１４では、計量機１２の制御回路１６により計数された追加給液回数と記憶装置１９に記憶された基準給停止回数とを比較することにより異常の有無を検出する異常検出処理を行う。そして、管理端末装置１４は、追加給液回数に基づいて液面検知機構の異常が検出された場合に、メンテナンス会社１３に設置されたメンテナンス端末装置１７へ異常を示す電子メールを出力する。【選択図】図１
2008030762.tif 000002
【特許請求の範囲】
【請求項１】
手動操作により給液量を調整するためのレバーを有し、当該レバーの操作により被給液タンクへ給液される液体の流量を調整する弁機構を有する給液ノズルと、
該給液ノズルに設けられ、前記給液ノズルの吐出パイプ先端が前記被給液タンクの液面に接触した場合に液面検知動作と共に当該給液ノズルよりの液体の供給を停止する液面検知機構と、
該給液ノズルへ液体を給液するための給液経路と、
該給液経路を介して前記給液ノズルに液体を給液するためのポンプと、
前記給液経路を流れる液体の流量を計測する流量計と、
を有する給液システムにおいて、
給液操作毎に行われる前記液面検知機構による液面検知に伴う追加給液回数を計数する計数手段と、
予め定められた基準となる基準追加給液回数記憶する記憶手段と、
前記計数手段により計数された追加給液回数と前記記憶手段に記憶された基準追加給液回数とを比較することにより異常の有無を検出する異常検出手段と、
前記異常検出手段により異常が検出された場合に、異常信号を出力する異常信号出力手段と、
を備えたことを特徴とする給液システム。
【請求項２】
前記計数手段は、前記流量計により計測された流量計測値の変化に基づいて給液ノズルによる給液開始から追加給液終了となる所定給液量が供給されるまでに行われる前記液面検知機構による追加給液回数を計数することを特徴とする請求項１記載の給液システム。
【請求項３】
前記異常検出手段は、
基準となる下限追加給液回数と上限追加給液回数とを前記記憶手段から読み込む基準停止回数読み込み手段と、
前記追加給液回数と前記下限追加給液回数とを比較し、さらに前記追加給液回数と前記上限追加給液回数とを比較して前記追加給液回数が前記下限追加給液回数以下または前記追加給液回数が前記上限追加給液回数以上の場合に異常ありと判定する判定手段と、
を備えたことを特徴とする請求項１記載の給液システム。
【発明の詳細な説明】
【技術分野】
【０００１】
本発明は給液システムに係り、特に給液ノズルのレバー操作により被給液タンクへ給液される液体の流量を調整するように構成された給液システムに関する。
【背景技術】
【０００２】
例えば、自動車の燃料タンク（被給液タンク）にガソリンなどの油液（液体）を給液する給油ノズル（給液ノズル）を操作して給油する場合、操作者は、給油ノズルのノズルレバーを操作してノズルの弁機構を開弁することで燃料タンクへの液体給液を行える。このような給油ノズルを有する給油装置（給液装置）では、ポンプにより送液された油液を給油ノズルのレバー操作により給油ノズルの弁機構の弁開度を手動で調整して燃料タンクに給油される流量を調整している（例えば、特許文献１参照）。
【０００３】
ところが、自動車の給油口のパイプ形状は、車種によって異なり、給油口の近くで曲げられている場合がある。そして、給油ノズルの吐出パイプを給油口の奥まで挿入した状態でノズルレバーを全開位置まで操作すると、ポンプにより送液された油液が勢い良く給油口の内壁に噴出されるため、油液の一部が跳ね返って給油口から噴きこぼれるおそれがあった。
【０００４】
特に給液ノズルに設けられた液面検知機構が液面上昇を検知して閉弁動作した場合、操作者は、給油ノズルのノズルレバーを再度開弁操作して追加の給液を行うが、ノズルレバーを任意の位置に操作して給油口からの噴きこぼれを防止していた。
【特許文献１】特開２０００−１０９１９９号公報
【発明の開示】
【発明が解決しようとする課題】
【０００５】
しかしながら、従来は、給液ノズルを構成する各部品の加工精度や各部品の組み立て精度などのばらつきによりダイヤフラムの作動タイミングに変動があると、液面検知機構の感度を一定に調整することが難しく、例えば、液面検知の感度が高い場合には、まだ液面が給油口に上昇していないのに給油口内壁から跳ね返った液粒がノズル先端に設けられた液面検知孔に付着するだけで閉弁動作して給液を停止させてしまうという問題があった。
【０００６】
また、液面検知の感度が低い場合には、液面が給油口に達しているのに閉弁動作が遅れてしまうおそれがあった。
【０００７】
そこで、本発明は上記事情に鑑み、上記課題を解決した給液システムを提供することを目的とする。
【課題を解決するための手段】
【０００８】
上記課題を解決するため、本発明は以下のような手段を有する。
【０００９】
本発明は、手動操作により給液量を調整するためのレバーを有し、当該レバーの操作により被給液タンクへ給液される液体の流量を調整する弁機構を有する給液ノズルと、該給液ノズルに設けられ、前記給液ノズルの吐出パイプ先端が前記被給液タンクの液面に接触した場合に液面検知動作と共に当該給液ノズルよりの液体の供給を停止する液面検知機構と、該給液ノズルへ液体を給液するための給液経路と、該給液経路を介して前記給液ノズルに液体を給液するためのポンプと、前記給液経路を流れる液体の流量を計測する流量計と、を有する給液システムにおいて、  給液操作毎に行われる前記液面検知機構による液面検知に伴う追加給液回数を計数する計数手段と、予め定められた基準となる基準追加給液回数記憶する記憶手段と、前記計数手段により計数された追加給液回数と前記記憶手段に記憶された基準追加給液回数とを比較することにより異常の有無を検出する異常検出手段と、前記異常検出手段により異常が検出された場合に、異常信号を出力する異常信号出力手段と、を備えており、上記課題を解決するものである。
【００１０】
また、前記計数手段は、前記流量計により計測された流量計測値の変化に基づいて給液ノズルによる給液開始から追加給液終了となる所定給液量が供給されるまでに行われる前記液面検知機構による停止回数を計数することが望ましい。
【００１１】
また、前記異常検出手段は、基準となる下限追加給液回数と上限追加給液回数とを前記記憶手段から読み込む基準停止回数読み込み手段と、前記追加給液回数と前記下限追加給液回数とを比較し、さらに前記追加給液回数と前記上限追加給液回数とを比較して前記追加給液回数が前記下限追加給液回数以下または前記追加給液回数が前記上限追加給液回数以上の場合に異常ありと判定する判定手段と、を備えており、上記課題を解決するものである。
【発明の効果】
【００１２】
本発明によれば、計数手段により計数された追加給液回数と前記記憶手段に記憶された基準給停止回数とを比較することにより異常の有無を検出した場合に異常信号を出力するため、液面検知機構の感度が高過ぎたり、あるいは低過ぎる場合に異常信号を出力して報知することができ、液面検知機構の点検・修理などのメンテナンスを速やかに行うことが可能になる。
【発明を実施するための最良の形態】
【００１３】
以下、図面を参照して本発明を実施するための最良の形態について説明する。
【実施例１】
【００１４】
図１は本発明になる給液システムの一実施例を示すシステム構成図である。図１に示されるように、給液システム１０は、ガソリンなどの燃料を給液する計量機１２と、計量機１２及び表示器４０を制御する制御回路１６と通信回線（ＳＳ−ＬＡＮ）１８を介して通信可能に接続された管理端末装置１４とを有する。また、管理端末装置１４は、例えば、給液所のインターネット１５を介してメンテナンス会社１３と通信可能に接続されている。
【００１５】
管理端末装置１４は、車両への給液が行われると、計量機１２から個別に送信された液面検知機構情報（例えば、給液ノズルの液面検知機構による追加給液回数及び液面検知機構の異常の有無など）を記憶装置１９に格納する。さらに、管理端末装置１４は、複数の計量機１２から出力された燃料給液情報（例えば、車両へ供給される燃料の供給量（給液量）、燃料の種類（液種）、給液金額、料金支払方法等の情報を含む）を管理している。
【００１６】
管理端末装置１４は、予め設定された制御プログラムを読み込んで各制御プログラムの制御処理を実行することで、予め定められた基準となる基準追加給液回数を記憶装置１９に記憶する記憶手段と、計量機１２の制御回路１６により計数された追加給液回数と記憶装置１９に記憶された基準給停止回数とを比較することにより異常の有無を検出する異常検出手段と、異常検出手段により異常が検出された場合に、異常信号を出力する異常信号出力手段とを有する。
【００１７】
また、計量機１２の制御回路１６は、給液が終了する度に液面検知機構情報及び燃料給液情報を管理端末装置１４へ送信する。そして、管理端末装置１４は、計量機１２の制御回路１６から送信された情報を集計して定期的に公衆回線及びインターネット１５を介してメンテナンス会社１３のメンテナンス端末装置１７へ送信する。メンテナンス端末装置１７は、受信した燃料給液情報及び顧客入力情報をデータベース（データテーブル）１７Ａに格納している。
【００１８】
ここで、計量機１２の構成について説明する。計量機１２は、給液所の地下に埋設された地下タンク（図示せず）から燃料（本実施例では、油液）を汲み上げる給液管路２０に、給液ポンプ２２、流量計２４、流量制御弁２６が設けられている。そして、流量制御弁２６の吐出口に連通された給液ホース２８の先端には、給液ノズル３０が設けられている。また、流量制御弁２６は、制御回路１６からの開弁信号により開弁し、開弁信号がオフになると閉弁する。
【００１９】
給液ノズル３０は、例えば、前述した特許文献１に記載されているように、ノズルレバーの回動操作により弁開度を調整される弁機構、油液の流速によって負圧を発生させる負圧発生部、一端が負圧発生部に連通され、他端が吐出パイプの先端付近に開口する空気導入口を有して空気を吸引する吸引管、給液による液面上昇により空気導入口が閉塞されると負圧によって閉弁動作する液面検知機構（液面検知手段）とを有する。
【００２０】
給液ノズル３０の液面検知機構は、給液に伴う液面上昇により空気導入口が閉塞されることで弁機構が閉弁動作して給液を停止する。そのため、給液ノズル３０が液面検知により閉弁操作すると、操作者は給液ノズル３０の吐出パイプを燃料タンクの給油口から浮かせた状態でノズルレバーを半開位置に操作して追加給液を行うように操作する。そして、操作者は、液面が給油口付近まで上昇するまで追加給液操作を繰り返す。
【００２１】
尚、給液ノズル３０を給油口に挿入した状態では、液面上昇に伴って吐出パイプの先端に跳ね返る油液の量が徐々に増大して空気導入口を閉塞する油液の量も次第に増大する。一方、給液ノズル３０に内蔵された液面検知機構は、各部品の加工精度や各部品の組み立て精度などのばらつきによりダイヤフラムの作動タイミングに変動があると、液面検知機構の感度を一定に調整することが難しい。
【００２２】
また、給液ノズル３０は、計量機１２の筐体側面に設けられたノズル掛け３２に掛止されており、車両へ燃料を供給する際にノズル掛け３２から外されて開弁操作される。また、ノズル掛け３２には、給液ノズル３０の有無を検出するためのノズルスイッチ３４が設けられている。このノズルスイッチ３４は、給液ノズル３０がノズル掛け３２に掛止されている状態のときにオフとなり、給液ノズル３０がノズル掛け３２から外されるとオンに切り替わるように構成されている。
【００２３】
また、計量機１２の筐体には、給液ポンプ２２を駆動するポンプモータ３６と、流量計２４で計測した流量に比例した流量パルスを出力するパルス発信器３８と、車両に給液された積算値や入力された給液情報（設定された液種、給液量、支払い方法など）を表示する表示器４０とが設けられている。この表示器４０は、液晶パネルからなるタッチパネルであり、顧客が表示された選択項目に触れることにより回答入力装置としても機能する。
【００２４】
また、制御回路１６は、流量制御弁２６、ノズルスイッチ３４、ポンプモータ３６、パルス発信器３８、表示器４０の各機器と電気的に接続されている。
【００２５】
制御回路１６は、ノズルスイッチ３４からオン信号が入力されると、ポンプモータ３６を起動すると共に流量制御弁２６を開弁して給液可能とする。また、制御回路１６は、給液ノズル３０の開弁操作によりパルス発信器３８から流量パルスが出力されると、流量パルスの積算値から算出された給液量を表示器４０に表示させるように制御処理を実行する。
【００２６】
そして、制御回路１６は、ノズルスイッチ３４がオフになると、給液が終了したものと判定するため、ポンプモータ３６を停止させると共に流量制御弁２６を閉弁し、給液量に応じた給液料金を算出して表示させる。さらに、給液終了後は、燃料給液情報（液種、給液量、給液金額、料金支払方法等の情報）をメモリ（記憶手段）４４に記憶させる。尚、メモリ４４では、メモリ４４の記憶容量に応じて数回分の情報を一時的に記憶しており、数回分の情報のうち古い情報の記憶領域から順次上書きされる。
【００２７】
さらに、制御回路１６は、後述するように、ノズルスイッチ３４がオンになって給液ノズル３０による給液開始から給液が終了してノズルスイッチ３４がオフになるまでの間に給液ノズル３９の液面検知機構による追加給液回数を計数し（計数手段）、計数された追加給液回数を上記メモリ４４に記憶させる。この液面検知機構による給液停止に伴う追加給液回数の計数処理は、例えば、流量計２４により計測された流量計測値の変化に基づいて給液ノズル３０による液体給液開始から追加給液終了となる所定給液量が供給されるまでに行われる液面検知機構による追加給液回数を計数するようにプログラムされている。
【００２８】
そして、制御回路１６は、給液ノズル３０による給液が終了すると、管理端末装置１４に追加給液回数の計数結果を通信回線１８を介して管理端末装置１４に送信する。これにより、管理端末装置１４では、前述したように、計量機１２の制御回路１６により計数された追加給液回数と記憶装置１９に記憶された基準給停止回数とを比較することにより異常の有無を検出する異常検出処理を行う。そして、管理端末装置１４は、追加給液回数に基づいて液面検知機構の異常が検出された場合に、メンテナンス会社１３に設置されたメンテナンス端末装置１７へ異常を示す電子メール（異常信号）を出力する。そのため、メンテナンス会社１３では、管理端末装置１４から送信された異常信号により計量機１２の給液ノズル３０で異常が発生したことを認識することができ、例えば、メンテナンスを行う作業員にどこの給液所の計量機１２の給液ノズル３０で異常が発生したのかを報知することが可能になる。
【００２９】
図２は複数の給液所とメンテナンス会社との間を接続する通信網を模式的に示すブロック図である。図２に示されるように、給液所Ａ〜Ｚに設置された計量機１２（１２Ａ〜１２Ｚ）は、計量機１２（１２Ａ〜１２Ｚ）を管理する管理端末装置１４Ａ〜１４Ｚと接続され、給液所Ａ〜Ｚの管理端末装置１４Ａ〜１４Ｚは、夫々が公衆回線及びインターネット１５を介してメンテナンス会社１３に設置されたメンテナンス端末装置１７と通信可能に接続されている。
【００３０】
各給液所Ａ〜Ｚには、車両の燃料タンク（図示せず）にガソリン等の燃料を給液する複数の計量機１２（１２Ａ〜１２Ｚ）が設置されている。この計量機１２（１２Ａ〜１２Ｚ）は、セルフサービス方式の給液装置であり、顧客（運転者）自身が表示器４０で給液設定データを入力してから給液操作を行うようになっている。
【００３１】
従って、メンテナンス会社１３では、給液所Ａ〜Ｚの管理端末装置１４Ａ〜１４Ｚから送信された燃料給液情報及び顧客入力情報をデータベース１７Ａに随時格納している。
【００３２】
図３は計量機１２の制御回路１６が実行する制御処理１を説明するためのフローチャートである。図３に示されるように、計量機１２の制御回路１６は、Ｓ１１で給液ノズル３０がノズル掛け３２に掛止されているか否かをチェックする。このＳ１１において、ノズルスイッチ３４がオンのときは、給液ノズル３０がノズル掛け３２から外されて給液が開始されるため、Ｓ１２に進み、給液ポンプ２２を起動させると共に、給液ノズル３０の開弁操作により給液が開始され、流量計２４からの流量パルスを積算して給液ノズル３０から燃料タンク（図示せず）に給液された給液量（積算流量）を計測する。
【００３３】
次のＳ１３では、給液ノズル３０の液面検知機構（図示せず）の作動による給液停止状態か否かをチェックする。なお、この給液停止状態か否かの判断は、後述のＳ１５或いはＳ１８においてセットされた給液中或いは給液停止の状態に基き判断される。
【００３４】
即ち、給液中にセットされている場合にはＳ１３では「ＮＯ」と判断され、給液停止にセットされている場合にはＳ１３では「ＹＥＳ」と判断されることになる。このＳ１３において、給液停止状態と判断されたときはＳ１４に進み、流量計２４により計測されている瞬時流量が１Ｌ／ｍｉｎ以上か否かをチェックする。Ｓ１４で給液ノズル３０より給液されている瞬時流量が１Ｌ／ｍｉｎ以上のときは、給液ノズル３０よりの油液の吐出が開始されたものと判断し、計量機１２の状態を給液中にセットする。
【００３５】
続いて、Ｓ１６に進み、追加給液回数（給液停止後、給液が開始された回数）に１を加算する（計数手段）。この後は、上記Ｓ１１に戻る。また、上記Ｓ１３において、給液停止状態でないと判断されたときはＳ１７に進み、流量計２４により計測されている瞬時流量が０Ｌ／ｍｉｎか否かをチェックする。このＳ１７において、流量計２４により計測されている瞬時流量が０Ｌ／ｍｉｎであるときは、Ｓ１８に進み、瞬時流量がゼロの状態が１秒間継続したか否かをチェックする。Ｓ１８において、瞬時流量がゼロの状態が１秒間継続したときは、Ｓ１９に進み、給液ノズル３０よりの油液の吐出が停止したものと判断し、計量機１２の状態を給液停止状態にセットする。
【００３６】
このＳ１３において、給液停止状態のときはＳ１４に進み、流量計２４により計測された瞬時流量が１Ｌ／ｍｉｎ以上か否かをチェックする。Ｓ１４で給液ノズル３０より給液された瞬時流量が１Ｌ／ｍｉｎ以上のときは、計量機１２の状態を給液中にセットする。
【００３７】
続いて、Ｓ１６に進み、追加給液回数に１を加算する（計数手段）。この後は、上記Ｓ１１に戻る。また、上記Ｓ１３において、給液停止状態でないときはＳ１７に進み、流量計２４により計測された瞬時流量が０Ｌ／ｍｉｎか否かをチェックする。このＳ１７において、流量計２４により計測された瞬時流量が０Ｌ／ｍｉｎＦであるときは、Ｓ１８に進み、流量ゼロの状態が１秒間継続したか否かをチェックする。Ｓ１８において、流量ゼロの状態が１秒間継続したときは、Ｓ１９に進み、計量機１２の状態を給液停止状態にセットする。この後は、上記Ｓ１１に戻る。このようにＳ１１〜Ｓ１９の処理を繰り返す。
【００３８】
そして、Ｓ１１において、ノズルスイッチ３４がオフのときは、給液ノズル３０がノズル掛け３２に戻されて給液が終了されて給液が終了したものと判断された場合には、Ｓ２０に進み、給液ポンプ２２を停止させると共に、管理端末装置１４に追加給液回数を転送する。
【００３９】
このように、計量機１２の制御回路１６は、給液操作の度に追加給液回数をカウント（計数）しており、給液開始から給液終了までの間に行われた追加給液回数をメモリ４４に記憶させる。
【００４０】
図４は管理端末装置１４が実行する制御処理を説明するためのフローチャートである。図４に示されるように、管理端末装置１４は、Ｓ３１で計量機１２の制御回路１６から送信された追加給液回数を受信すると、記憶装置１９に記憶させる。続いて、Ｓ３２に進み、本日の平均追加給液回数をＡとし、前日の平均追加給液回数をＢとし、一昨日の平均追加給液回数をＣとする。
【００４１】
次のＳ３３では、本日の平均追加給液回数Ａが予め設定された下限設定値以上か否か、または前日の平均追加給液回数Ｂが予め設定された下限設定値以上か否か、または一昨日の平均追加給液回数Ｃが予め設定された下限設定値以上か否かをチェックする（異常検出手段）。従って、上記Ｓ３３において、本日の平均追加給液回数Ａ、前日の平均追加給液回数Ｂ、一昨日の平均追加給液回数Ｃの何れかが下限設定値以上でないときは、Ｓ３４に進み、給液ノズル３０の液面検知機構が効きかない傾向（液面検知感度が低過ぎる）であることを示す電子メールをメンテナンス会社１３のメンテナンス端末装置１７に送信する（異常信号出力手段）。
【００４２】
また、Ｓ３３において、本日の平均追加給液回数Ａ、前日の平均追加給液回数Ｂ、一昨日の平均追加給液回数Ｃの何れかが下限設定値以上であるときは、Ｓ３５に進み、本日の平均追加給液回数Ａが予め設定された上限設定値以上か否か、または前日の平均追加給液回数Ｂが予め設定された上限設定値以上か否か、または一昨日の平均追加給液回数Ｃが予め設定された上限設定値以上か否かをチェックする（異常検出手段）。
【００４３】
そして、Ｓ３５において、本日の平均追加給液回数Ａ、前日の平均追加給液回数Ｂ、一昨日の平均追加給液回数Ｃの何れかが上限設定値以下であるときは、今回の制御処理を終了させる。
【００４４】
また、上記Ｓ３５において、本日の平均追加給液回数Ａ、前日の平均追加給液回数Ｂ、一昨日の平均追加給液回数Ｃの何れかが上限設定値以下でないときは、Ｓ３６に進み、給液ノズル３０の液面検知機構が効き過ぎる傾向（液面検知感度が高過ぎる）であることを示す電子メールをメンテナンス会社１３のメンテナンス端末装置１７に送信する（異常信号出力手段）。
【００４５】
このように、管理端末装置１４は、計量機１２により計数された平均追加給液回数と予め設定された下限設定値及び上限設定値とを比較することにより給液ノズル３０の液面検知機構での異常の有無を推測することが可能になる。
【００４６】
図５はメンテナンス端末装置１７のデータベース１７Ａに格納された記録形式を模式的に示す図である。図５に示されるように、各計量機１２の登録番号に相当する器物番号から当該計量機１２に設けられた給液ノズル３０の追加給液回数が一覧になっており、メンテナンス会社の作業員が容易に確認することができるようになっている。
【００４７】
図６は計量機１２の制御回路１６が実行する制御処理２を説明するためのフローチャートである。尚、図６に示すＳ４１〜Ｓ４５の制御処理は前述した図３のＳ１１〜Ｓ１５と同様な処理であるので、その説明を省略する。また、図６に示すＳ４６〜Ｓ４８の制御処理は前述した図３のＳ１７〜Ｓ１９と同様な処理であるので、その説明を省略する。
【００４８】
図６に示されるように、計量機１２の制御回路１６は、Ｓ４８で計量機１２の状態を給液停止にセットした後、Ｓ４９に進み、現在の給液量をメモリ４４に記憶させる。この後は、Ｓ４１に戻り、Ｓ４１〜Ｓ４９の処理を繰り返す。
【００４９】
そして、Ｓ４１において、ノズルスイッチ３４がオフにより、給液ノズル３０がノズル掛け３２に戻されて給液が終了されたと判断された場合には、Ｓ５０に進み、例えば、液面検知機構による最初の給液停止時の給液量３２リットルから２リットルを追加給液して３４リットルになるまで給液した場合の追加給液回数（４回）を算出する。また、Ｓ５０において、例えば、液面検知機構による最初の給液停止時の給液量が３１．９リットルの場合は、給液停止回数が２回であるので、追加給液回数が１回となる。
【００５０】
図７は給液停止回数を算出するためのデータベース（データテーブル）５０の記録方式を模式的に示した図である。図７に示されるように、データベース５０は、４回の追加給液を行ったことにより、給液停止が５回発生した場合のデータ例を示している。従って、Ｓ５０では、データベース５０から給液量が３２リットル（＝３４Ｌ−２Ｌ）の場合の追加給液回数＝５回を算出し、Ｓ５１では管理端末装置１４に追加給液回数（５回）を転送する。
【００５１】
このように、上記データベース５０から給液停止時の給液量に対応する給液停止回数から追加給液回数を求めることにより、追加給液回数をカウントせずに済み、演算処理の負担を軽減することができる。
【００５２】
図８は計量機１２の制御回路１６が実行する制御処理３を説明するためのフローチャートである。図８に示されるように、制御回路１６は、Ｓ６１で給液ノズル３０がノズル掛け３２に掛止されているか否かをチェックする。このＳ６１において、ノズルスイッチ３４がオンのときは、給液ノズル３０がノズル掛け３２から外されて給液が開始されるため、Ｓ６２に進み、給液ポンプ２２を起動させると共に、給液ノズル３０の開弁操作により給液が開始され、流量計２４からの流量パルスを積算して給液ノズル３０から燃料タンク（図示せず）に給液された給液量（積算流量）を計測する。
【００５３】
次のＳ６３では、流量計２４から出力された流量パルスのパルス間隔（周期）から流速を演算し、給液ノズル３０から吐出される油液の流速を求める。続いて、Ｓ６４に進み、単位時間当たりの流速の差から流速変化率を演算する。
【００５４】
次のＳ６５では、上記のように演算された流速変化率が予め設定された所定減少率以下か否かをチェックする。このＳ６５において、演算された流速変化率が予め設定された所定減少率以下の場合は、給液ノズル３０の液面検知機構による給液停止動作が行われたものと判断することができる。そのため、Ｓ６５で流速変化率が予め設定された所定減少率以下のときは、Ｓ６６に進み、追加給液回数のカウント値に１を加算する。
【００５５】
また、Ｓ６５で流速変化率が予め設定された所定減少率以下でないときは、Ｓ６６の処理を省略する。次のＳ６７では、給液ノズル３０がノズル掛け３２に戻されたか否かをチェックする。このＳ６７において、ノズルスイッチ３４がオンのときは、給液ノズル３０がノズル掛け３２から外されているため、給液中であると判断して上記Ｓ６２に戻り、Ｓ６２〜Ｓ６７の処理を繰り返す。従って、給液ノズル３０により給液が行われている間は、Ｓ６２〜Ｓ６７の処理を繰り返すことで、流速変化率を監視することができ、液面検知機構による液面検知動作に伴う給液停止の有無を判定することが可能になる。
【００５６】
また、Ｓ６７において、ノズルスイッチ３４がオフのときは、給液ノズル３０がノズル掛け３２に戻されたものと判断してＳ６８に進み、給液ポンプ２２を停止させると共に、追加給液回数のカウント値を管理端末装置１４に送信する。そして、Ｓ６９では、追加給液回数のカウント値をゼロリセットする。
【００５７】
このように、給液ノズル３０から吐出される油液の流速の変化率に基づいて液面検知機構の液面検知に伴う追加給液回数を求めることが可能であり、流量計２４の流量パルスの有無による方法以外の方法でも追加給液が行われたことを判定することができる。
【産業上の利用可能性】
【００５８】
上記実施例では、計量機１２の制御回路１６にて追加給液回数を計数し、管理端末装置１４にて液面検知機構の異常の有無を判定する場合について説明したが、これに限らず、例えば、計量機１２の制御回路１６が追加給液回数を計数し、その計数された値から液面検知機構の異常の有無を判定する演算処理を行う構成としても良いのは勿論である。
【００５９】
また、上記実施例では、計量機１２による追加給液回数の計数値を管理端末装置１４に送信するものとして説明したが、これに限らず、例えば、メンテナンス会社１３にも送信するようにして、メンテナンス端末装置１７において、異常判定処理を行うようにしても良い。
【００６０】
また、上記実施例では、Ｓ３３では、本日の平均追加給液回数Ａ、または前日の平均追加給液回数Ｂ、または一昨日の平均追加給液回数Ｃの何れかが予め設定された下限設定値以上か否かをチェックし、Ｓ３５では本日の平均追加給液回数Ａ、または前日の平均追加給液回数Ｂ、または一昨日の平均追加給液回数Ｃの何れかが予め設定された上限設定値以上か否かをチェックする場合を例に挙げて説明したが、これに限らず、本日の平均追加給液回数Ａのみを下限設定値、上限設定値と比較するようにして良いし、あるいは平均追加給液回数Ａ及びＢの比較結果に基づいて異常の有無を判定するようにして良いし、あるいは、平均追加給液回数Ａ及びＢ及びＣの比較結果に基づいて異常の有無を判定するようにして良いのは、勿論である。
【図面の簡単な説明】
【００６１】
【図１】本発明になる給液システムの一実施例を示すシステム構成図である。
【図２】複数の給液所とメンテナンス会社との間を接続する通信網を模式的に示すブロック図である。
【図３】計量機１２の制御回路１６が実行する制御処理１を説明するためのフローチャートである。
【図４】管理端末装置１４が実行する制御処理を説明するためのフローチャートである。
【図５】メンテナンス端末装置１７のデータベース１７Ａに格納された記録形式を模式的に示す図である。
【図６】計量機１２の制御回路１６が実行する制御処理２を説明するためのフローチャートである。
【図７】給液停止回数を算出するためのデータベース（データテーブル）５０の記録方式を模式的に示した図である。
【図８】計量機１２の制御回路１６が実行する制御処理３を説明するためのフローチャートである。
【符号の説明】
【００６２】
１０  給液システム
１２,１２Ａ〜１２Ｚ  計量機
１３  メンテナンス会社
１４,１４Ａ〜１４Ｚ  管理端末装置
１６  制御回路
１７  メンテナンス端末装置
１７Ａ，５０  データベース
１８  通信回線
１９  記憶装置
２２  給液ポンプ
２４  流量計
３０  給液ノズル
３２  ノズル掛け
３４  ノズルスイッチ
４４  メモリ
【図１】
2008030762.tif 000003
【図２】
2008030762.tif 000004
【図３】
2008030762.tif 000005
【図４】
2008030762.tif 000006
【図５】
2008030762.tif 000007
【図６】
2008030762.tif 000008
【図７】
2008030762.tif 000009
【図８】
2008030762.tif 000010